(57)【特許請求の範囲】
【請求項１】
電子部品を一対のケース間に配置して保護する電子部品の保護構造において、
一対のケースのうちのいずれか一方ケースには挿通孔が設けられ、他方ケースには挿通孔に挿通された突出片が設けられ、
前記突出片の先端部には、挿通孔よりも大きい形状で、復元不可能に変形された変形部が形成され、
前記突出片は、挿通孔に遊挿されていることを特徴とする電子部品の保護構造。
【請求項２】
前記突出片が設けられたケースは、金属または樹脂製であることを特徴とする請求項１記載の電子部品の保護構造。
【請求項３】
前記挿通孔および突出片は、複数設けられていることを特徴とする請求項１記載の電子部品の保護構造。
【請求項４】
前記挿通孔は、ケース表面に形成された凹所に設けられていることを特徴とする請求項１記載の電子部品の保護構造。
【請求項５】
前記突出片が切断されたことを検出する検出手段を含むことを特徴とする請求項１記載の電子部品の保護構造。
【請求項６】
前記検出手段の検出結果に応じて、電子部品の動作が制御されることを特徴とする請求項５記載の電子部品の保護構造。
【請求項７】
前記電子部品は、液晶表示素子、該液晶表示素子の駆動回路基板または光源であることを特徴とする請求項１記載の電子部品の保護構造。
【請求項８】
挿通孔と突出片とがそれぞれ設けられた一対のケースおよび電子部品を準備し、一対のケースの間に電子部品を配置して挿通孔に突出片を遊挿し、突出片の先端部を挿通孔よりも大きく復元不可能に変形して変形部を形成することを特徴とする電子部品の保護方法。
【発明の詳細な説明】
【０００１】
【発明の属する技術分野】
本発明は、液晶表示素子、該液晶表示素子の駆動回路基板または光源などの電子部品を一対のケースで保護する電子部品の保護構造および保護方法に関する。
【０００２】
【従来の技術】
液晶表示装置は、液晶表示素子、該素子の駆動回路基板および光源などの電子部品を備える。液晶表示素子、駆動回路基板または光源は、一対のケース間に配置され保護されて用いられる。このように、ケースによって電子部品が外部環境から保護される。
【０００３】
図６（Ａ）は、第１の従来技術である液晶表示装置の構造を示す分解斜視図であり、図６（Ｂ）は断面図である。電子部品を間に配置する一対のケース１１，１２のうちのいずれか一方ケース１１は他方ケース１２よりも大きく、ケース１１の側面１１ａには開口部１３が形成されており、ケース１２の側面１２ａにはケース１２の外方に向かい、かつ開口部１３の深さとほぼ同じ高さの凸部１４が形成されている。ケース１１，１２の間に配置された電子部品は、ケース１２がケース１１によって覆われて開口部１３と凸部１４とが互いにはめこまれることによって、組立てられる。
【０００４】
図７は、第２の従来技術である液晶表示装置の構造を示す断面図である。一対のケース１５，１６は、電子部品１８とともにタッピングネジ１７によって螺合されて、組立てられる。
【０００５】
第１の構造では、側面１１ａ，１２ａ間に隙間を作ることによってケース１１，１２を開封して電子部品を取出し、再び組立て、分解の痕跡を残さずに復元することができる。第２の構造でも同様に、タッピングネジ１７を緩めることによってケース１５，１６を開封して電子部品を取出し、再び組立て、分解の痕跡を残さずに復元することができる。したがって、たとえば電子制御式のパチンコなどの遊戯機器に適用されて公共的に用いられる液晶表示装置において、電子部品を取出して改造し、その痕跡を残さずに復元して、不正に使用することができる。
【０００６】
電子部品の改造防止対策として、ケースの開封を検出する装置が、たとえば実用新案登録番号第３０２０８７０号公報に開示されている。該公報に開示された技術は、図８に示されるような封印装置１によって電気的にケースの開封を検出している。具体的に、封印装置１は、記憶回路２、発振器３、分周器４、表示・出力回路５および消去回路６を備える。記憶回路２において、センサＳＥでケースの開封が検出されると、その検出信号がフリップフロップＦＦに記憶される。センサＳＥおよびフリップフロップＦＦには、内部電源Ｃ１から常時電源電圧が供給される。したがって、外部電源電圧が遮断されても記憶動作は継続される。外部電源電圧を供給して、発振器３、分周器４および表示・出力回路５を動作させ、発振器３からの信号Ｓ０を分周器４で分周し、分周信号Ｓ１，Ｓ２を用いて表示信号を生成し、発光ダイオードＬＥＤ１を点滅させる。発光ダイオードＬＥＤ１の点滅パターンはフリップフロップＦＦの出力に応じて切換えられ、発光ダイオードＬＥＤ１の点滅状態によってケースの開封が速やかに報知される。
【０００７】
また、実開平４−７２０５４号公報には、車両内における表示装置の保護のための保護カバーの取付構造が開示されている。表示装置はダッシュボード内に埋込まれて引出し可能に設けられる。具体的には、図９に示されるようなスライダ２１がダッシュボードに埋込まれ、該スライダ２１内に表示装置が配置され、表示装置はスライダ２１とともに引出される。スライダ２１の先端部に取付けられて表示装置の表示部を保護する保護カバー２２の内側表面には、スライダ２１に取付けたときに該スライダ２１の側面を包囲する溝２５が設けられている。また、スライダ２１の先端部には複数の孔２３が設けられている。スライダ２１の先端部に保護カバー２２を被せ、スライダ内方側から孔２３を包囲する保護カバー２２の溝部分がスポット溶着され、これによって溶着部２４が形成される。
【０００８】
【発明が解決しようとする課題】
しかし、図８に示されるような装置によって電気的にケースの開封を検出する場合、センサＳＥ、フリップフロップＦＦ、内部電源Ｃ１および発光ダイオードＬＥＤ１などが必要であり、構成要素が増加して、構造が大型かつ複雑化し、高価となる。図９に示されるような取付構造を電子部品の保護構造に適用した場合、電子部品が不良品であったときなど、ケースを一旦開封すると、該ケースは一方および他方とも再使用できず、部品の利用効率が悪い。
【０００９】
本発明の目的は、ケースの開封を防止して電子部品の改造を阻止できる小型、簡単かつ安価な電子部品の保護構造および保護方法を提供することである。
【００１０】
【課題を解決するための手段】
本発明は、電子部品を一対のケース間に配置して保護する電子部品の保護構造において、
一対のケースのうちのいずれか一方ケースには挿通孔が設けられ、他方ケースには挿通孔に挿通された突出片が設けられ、
前記突出片の先端部には、挿通孔よりも大きい形状で、復元不可能に変形された変形部が形成され、
前記突出片は、挿通孔に遊挿されていることを特徴とする電子部品の保護構造である。
【００１１】
本発明に従えば、挿通孔が設けられた一方ケースと、突出片が設けられた他方ケースとの間に、電子部品が配置される。挿通孔には突出片が挿通され、該突出片の先端部には、挿通孔よりも大きい形状で、復元不可能に変形された変形部が形成されている。このような変形部によって一方および他方ケースは、容易には開封できない。したがって、電子部品を取出して改造することを防止できる。このような保護構造は、機械的な加工のみで比較的少ない構成要素で安価に実現でき、構造が簡単で小型である。
また突出片は挿通孔に遊挿されているのでケース同士は接着されない。したがって、たとえば保護された電子部品が不良品であった場合、変形部を切断し、ケースを開封して電子部品を取出すことができる。このとき、挿通孔が設けられたケースは再利用が可能である。また、出荷先などで変形部を切断して開封した場合、切断面が形成されて分解の痕跡を残すこととなるので、開封したかどうかを容易に識別でき、改造された電子部品の不正使用を容易に発見することができる。さらに、突出片側のケースを入手不可能としておけば、電子部品の保護構造の復元が阻止できる。
【００１２】
また本発明は、前記突出片が設けられたケースは、金属または樹脂製であることを特徴とする。
【００１３】
本発明に従えば、突出片が設けられたケースを金属製または樹脂製とした場合、突出片を挿通孔に挿通した後、該突出片の先端部を熱や圧力によって容易に変形して、変形部とすることができる。また、熱の伝導性が比較的悪い樹脂製とした場合、保護される電子部品へ伝わる変形時の熱を遮蔽することができる。
【００１６】
また本発明は、前記挿通孔および突出片は、複数設けられていることを特徴とする。
【００１７】
本発明に従えば、複数の挿通孔および突出片によって、ケース同士を互いに反対方向に平行回転させることが不可能となり、容易な開封を防止することができる。
【００１８】
また本発明は、前記挿通孔は、ケース表面に形成された凹所に設けられていることを特徴とする。
【００１９】
本発明に従えば、挿通孔が凹所に設けられるので、保護後において変形部を切断しにくくでき、ケースの容易な開封を防止することができる。また、保護後において突出片がケース表面から飛び出さないシンプルな形状とすることができる。
【００２０】
また本発明は、前記突出片が切断されたことを検出する検出手段を含むことを特徴とする。
【００２１】
本発明に従えば、突出片が切断されたことが検出されるので、たとえば該検出結果に応じてケースの開封を報知することができる。
【００２２】
また本発明は、前記検出手段の検出結果に応じて、電子部品の動作が制御されることを特徴とする。
【００２３】
本発明に従えば、突出片の切断の検出結果に応じて、電子部品の動作を制御可能としたので、たとえば電子部品が備える表示素子にケースが開封されたことを表示して報知することができる。保護される電子部品を用いて報知することによって、発光素子などを別途設ける必要がなく、報知のための構成を安価に実現できる。
【００２４】
また本発明は、前記電子部品は、液晶表示素子、該液晶表示素子の駆動回路基板または光源であることを特徴とする。
【００２５】
本発明に従えば、液晶表示素子、該素子の駆動回路基板または光源である電子部品を一対のケースの間に配置して保護することができる。このような電子部品を有する装置が遊戯機器として公共的に用いられる場合、上述したような保護構造によってケースの容易な開封を防止することによって、電子部品の改造を阻止し、不正使用を防止することができる。
【００２６】
また本発明は、挿通孔と突出片とがそれぞれ設けられた一対のケースおよび電子部品を準備し、一対のケースの間に電子部品を配置して挿通孔に突出片を挿通し、突出片の先端部を挿通孔よりも大きく復元不可能に変形して変形部を形成することを特徴とする電子部品の保護方法である。
【００２７】
本発明に従えば、上述のようにしてケースを容易に開封できない保護構造を作成できる。
【００２８】
【発明の実施の形態】
図１および図２は、本発明の一実施形態である電子部品の保護構造によって保護された液晶表示装置３８を示す分解斜視図である。液晶表示装置３８は、表保護ケース３１、フレームケース３２、液晶表示素子３３、光源３４、裏保護ケース３６および駆動回路基板３７を含んで構成される。液晶表示素子３３および光源３４は、表保護ケース３１（一方ケース）とフレームケース３２（他方ケース）との間で本発明に基づく保護構造によって保護され、このようにして液晶表示パーツ３５が構成される。駆動回路基板３７は、裏保護ケース３６（一方ケース）とフレームケース３２（他方ケース）との間で本発明に基づく保護構造によって保護され、このようにして液晶表示装置３８が構成される。
【００２９】
まず、図１を参照して表保護ケース３１側について説明する。表保護ケース３１は、液晶表示素子３３の表示面および光源３４の光照射面が臨む透光部３９を有する。表保護ケース３１の表面３１ａには挿通孔４０が形成されている。挿通孔４０は、単一であっても複数であってもよいが、本実施形態では２つ設けている。表保護ケース３１の側面３１ｂには、穴部４１が形成されている。表保護ケース３１は金属製であっても樹脂製であってもよいが、本実施形態では板金製とした。
【００３０】
フレームケース３２は液晶表示素子３３および光源３４を収納する収納部４４を有し、表保護ケース３１側に液晶表示素子３３が配置され、フレームケース３２側に光源３４が配置されて収納される。フレームケース３２の表面３２ａには、表保護ケース３１側に突出し、挿通孔４０に対応した突出片４２が形成されている。フレームケース３２の側面３２ｂには、穴部４１に対応した凸部４３が形成されている。フレームケース３２は、金属製であっても樹脂製であってもよいが、本実施形態ではプラスチック樹脂製とした。
【００３１】
液晶表示素子３３は絵素と呼ばれる最小の表示単位が規則的に配列されて成り、該絵素に独立した駆動電圧をそれぞれ印加するための配線が施された２枚の透光性基板の間に、駆動電圧によって光学特性が変化する光変調素子としての液晶を備える。光源３４は、液晶表示素子３３に光照射して視認性を向上させるためのものであり、直下型蛍光ランプであっても平面光源であってもよいが、本実施形態では、面内端部に配置される蛍光ランプと、該ランプからの光を前面に導く導光体とを含むものとした。
【００３２】
表保護ケース３１とフレームケース３２の間には、正常に動作すると確認された液晶表示素子３３および光源３４が配置されている。具体的には、液晶表示素子３３と光源３４はフレームケース３２の収納部４４に両面テープなどによって固定され、表保護ケース３１が被せられる。挿通孔４０には突出片４２が挿通され、穴部４１と凸部４３とが互いに係合されている。挿通孔４０に挿通された突出片４２の先端部には、後述する変形部が形成されている。このようにして、液晶表示素子３３および光源３４が、表保護ケース３１およびフレームケース３２によって保護されて液晶表示パーツ３５とされる。
【００３３】
次に、図２を参照して裏保護ケース３６側について説明する。裏保護ケース３６の表面３６ａには、挿通孔５０が形成されている。挿通孔５０は、単一であっても複数であってもよいが、本実施形態では２つ設けている。裏保護ケース３６の側面３６ｂには、凸部５１が形成されている。裏保護ケース３６は、金属製であっても樹脂製であってもよいが、本実施形態では表保護ケース３１と同様に板金製とした。
【００３４】
フレームケース３２の前記表面３２ａとは反対の表面３２ｃには、裏保護ケース３６側に突出し、挿通孔５０に対応した突出片４５が形成されている。突出片４５は、単一であっても複数であってもよいが、本実施形態では２つ設けている。液晶表示パーツ３５の側面３５ｂ、具体的には、表保護ケース３１の側面３１ｂには、凸部５１に対応した穴部４６が形成されている。
【００３５】
駆動回路基板３７は、液晶表示素子３３の各絵素に独立した駆動電圧をそれぞれ印加するものである。
【００３６】
フレームケース３２と裏保護ケース３６との間には、駆動回路基板３７が配置されている。具体的には、裏返しにされた液晶表示パーツ３５のフレームケース３２上に、該ケース３２に設けられた位置合わせ部材４７を用いて駆動回路基板３７が位置合わせされ、かつ該ケース３２に設けられた保持爪４８を用いて固定されて、裏保護ケース３６が被せられる。挿通孔５０に突出片４５が挿通され、穴部４６と凸部５１とが互いに係合され、裏保護ケース３６に設けられたネジ穴５２およびフレームケース３２に設けられたネジ穴４９にタッピングネジ５３が螺合されている。挿通孔５０に挿通された突出片４５の先端部には、後述する変形部が形成されている。このようにして、駆動回路基板３７が、フレームケース３２および裏保護ケース３６によって保護されて液晶表示装置３８とされる。
【００３７】
図３は、保護方法を段階的に示す図である。ここで、保護方法とは、挿通孔４０，５０に挿通された突出片４２，４５の先端部を、挿通孔４０，５０よりも大きく復元不可能に変形する方法である。なお、保護工程を実施する前に液晶表示装置の動作検査が実施され、動作不良品があったときには分解し修正され、正常に動作するもののみが保護される。また、挿通孔４０，５０は、図３（Ａ）に示されるように、ケースの表面３１ａ，３６ａに形成された凹所５４に設けられる。
【００３８】
挿通孔４０，５０には、図３（Ｂ）に示されるように、突出片４２，４５が挿通される。次に、突出片４２，４５の先端部に熱と荷重とを加えて変形して、図３（Ｃ）および図３（Ｄ）に示されるような変形部５５を形成する。この変形は、熱と荷重とをともに加える必要はなく、熱のみまたは荷重のみであってもかまわない。
【００３９】
変形部５５は、挿通孔４０，５０よりも大きい形状で復元不可能に形成される。したがって、ケース３１，３２：３２，３６を容易に開封することができなくなり、液晶表示素子３３、光源３４および駆動回路基板３７の改造を阻止できる。このような保護構造は機械的な加工のみで実現でき、また比較的少ない構成要素で実現できるので、構造が簡単で小型であり、また安価である。
【００４０】
また、突出片４２，４５が設けられたフレームケース３２を、本実施形態ではプラスチック樹脂製としたが、金属製とした場合であっても、突出片４２，４５の先端部を熱や圧力によって容易に変形して、変形部５５とすることができる。また、熱の伝導性が比較的悪い樹脂製とした場合、保護時に、液晶表示素子３３、光源３４および駆動回路基板３７へ伝わる熱を遮蔽して、これらの電子部品を熱から保護することができる。
【００４１】
また、突出片４２，４５を挿通孔４０，５０に遊挿することによって、ケース３１，３２：３２，３６同士は接着されない。したがって、たとえば保護された電子部品が不良品であった場合、変形部５５を切断し、ケース３１，３２：３２，３６を開封して電子部品を取出すことができる。このとき、挿通孔４０，５０が設けられたケース３１，３６は再利用が可能である。また、出荷先などで変形部５５を切断した場合、図４に示されるような切断面５６によって分解の痕跡を残すこととなり、開封を容易に発見することができる。したがって、電子部品の改造を容易に発見することができる。また、突出片４２，４５が設けられたフレームケース３２を入手を不可能としておけば、電子部品の保護構造を復元できないようにすることができる。遊挿状態は、挿通孔４０，５０の直径、突出片４２，４５の直径、加熱温度や圧力などの条件を調整することによって、得られる。
【００４２】
また、複数（本実施形態では２）の挿通孔４０，５０および突出片４２，４５によって、ケース３１，３２：３２，３６同士を互いに反対方向に平行回転させて開封することを防止できる。
【００４３】
また、挿通孔４０，５０が凹所５４に設けられるので、変形部５５を切断しにくくでき、ケース３１，３２；３２，３６の開封を防止することができる。また保護後において、突出片４２，４５が表面３１ａ，３６ａから飛出さないシンプルな形状とすることができる。
【００４４】
なお、本実施形態では光源３４を組込んだ液晶表示装置３８について説明したが、光源３４の寿命を考慮して、光源３４を取外し可能にしてもかまわない。また、光源が不要な反射型の液晶表示装置であってもかまわない。本実施形態の液晶表示装置３８では、フレームケース３２を共用し、表保護ケース３１とフレームケース３２とを、また裏保護ケース３６とフレームケース３２とをそれぞれ保護する例について説明したが、一対のケース間に電子部品を配置して保護するものであればどのような構成であってもかまわない。
【００４５】
図５は、本発明の他の実施形態である保護構造を示す断面図である。本実施形態は、変形部５５の切断を検出可能にしたものである。凹所５４には変形部５５を介して互いに対向する位置に開口部５７がそれぞれ設けられる。具体的に、変形部５５の鉛直方向６０の中心部と水平方向６２の中心部とが交差する中心点６１を介して、対向する位置に設けられる。該開口部５７に臨んで発光素子５８と受光素子５９とがそれぞれ配置される。発光素子５８および受光素子５９は、駆動回路基板３７に実装される。
【００４６】
変形部５５があるときには発光素子５８からの光は該変形部５５で遮光されて受光素子５９には到達しないが、変形部５５が切断されたときには発光素子５８からの光が受光素子５９に到達する。このとき、受光素子５９は光検出信号を出力する。駆動回路基板３７に実装された表示制御回路は、光検出信号によって変形部５５が切断されたことを認識し、該光検出信号に基づく液晶駆動信号によって液晶表示素子３３の表示状態を制御する。たとえば、液晶駆動信号を遮断して表示しない状態としたり、所定の警告表示状態としたりする。
【００４７】
このようにして、保護される電子部品を用いてケース３１，３２：３２，３６の開封を報知することによって、報知のためだけに発光ダイオードなどを別途設ける必要がなく、報知のための構成を安価に実現できる。本実施形態では、光学的に検出する例について説明したが、電気的に検出するようにしてもかまわない。
【００４８】
なお、液晶表示装置３８が遊戯機器として公共的に用いられる場合、上述したような保護構造によってケースの容易な開封を防止することによって、電子部品の改造を阻止し、不正使用を防止することができる。本実施形態では液晶表示素子３３、光源３４および駆動回路基板３７を保護したが、保護される電子部品はこれに限るものではない。
【００４９】
【発明の効果】
以上のように本発明によれば、電子部品が介在された一方ケースの挿通孔には他方ケースの突出片が挿通され、該突出片の先端部に挿通孔よりも大きい形状で、復元不可能に形成された変形部によって、少ない構成要素でケースの容易な開封を防止でき、小型、簡単かつ安価な保護構造が実現できる。これによって、電子部品の改造を阻止できる。
さらに突出片を挿通孔に遊挿してケース同士を接着しないようにすることによって、保護された電子部品が不良品であった場合などに、変形部を切断し、ケースを開封して電子部品を取出すことができる。このとき、挿通孔が設けられたケースは再利用が可能である。また、出荷先などでは、変形部の切断面によって開封したことを容易に発見でき、電子部品の改造も容易に発見できる。突出片側のケースを入手不可能としておけば、保護構造の復元が阻止できる。
【００５０】
また本発明によれば、突出片が設けられた金属や樹脂製のケースでは熱や圧力によって容易に変形部が形成でき、また熱の伝導性が比較的悪い樹脂製ケースでは、保護される電子部品を保護時の熱から保護することができる。
【００５２】
また本発明によれば、複数の挿通孔および突出片によって、ケース同士を互いに反対方向に平行回転させて開封することを防止できる。
【００５３】
また本発明によれば、挿通孔を凹所に設けることによって、変形部を切断しにくくでき、ケースの開封を防止することができる。また、保護後において突出片がケース表面から飛出さないシンプルな構造とすることができる。
【００５４】
また本発明によれば、突出片の状態が検出されるので、突出片が切断されてケースが開封されたことを報知することができる。
【００５５】
また本発明によれば、突出片の状態の検出結果に応じて電子部品の動作を制御可能としたので、報知のための部品を別途設けることなく安価に開封を報知することができる。
【００５６】
また本発明によれば、液晶表示素子、該素子の駆動回路基板または光源である電子部品を一対のケースの間に配置して保護することができる。このような電子部品を保護した装置を、たとえば遊戯機器として公共的に用いた場合、ケースの容易な開封を防止することによって、電子部品の改造を阻止し、不正使用を防止することができる。
【００５７】
また本発明によれば、挿通孔に突出片を挿通し、突出片の先端部を変形して変形部を形成することによって、ケースの容易な開封を防止できる保護構造を容易に実現できる。
【図面の簡単な説明】
【図１】本発明の一実施形態である電子部品の保護構造によって保護された液晶表示装置３８の一部分を示す分解斜視図である。
【図２】本発明の一実施形態である電子部品の保護構造によって保護された液晶表示装置３８を示す分解斜視図である。
【図３】保護方法を段階的に示す図である。
【図４】変形部５５の切断面５６を示す断面図である。
【図５】本発明の他の実施形態である保護構造を示す断面図である。
【図６】図６（Ａ）は、第１の従来技術である液晶表示装置の構造を示す分解斜視図であり、図６（Ｂ）は断面図である。
【図７】第２の従来技術である液晶表示装置の構造を示す断面図である。
【図８】電気的にケースの開封を検出する封印装置１を示す回路図である。
【図９】スライダ２１と保護カバー２２とを示す図である。
【符号の説明】
３１  表保護ケース
３２  フレームケース
３３  液晶表示素子
３４  光源
３５  液晶表示パーツ
３６  裏保護ケース
３７  駆動回路基板
３８  液晶表示装置
４０，５０  挿通孔
４２，４５  突出片
５４  凹所
５５  変形部
５７  開口部
５８  発光素子
５９  受光素子
【図１】
0003625361.tif 000002
【図２】
0003625361.tif 000003
【図３】
0003625361.tif 000004
【図４】
0003625361.tif 000005
【図５】
0003625361.tif 000006
【図６】
0003625361.tif 000007
【図７】
0003625361.tif 000008
【図８】
0003625361.tif 000009
【図９】
0003625361.tif 000010